【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
沈降成分を有する液体を液体噴射部に供給可能な液体収容体であって、
前記液体を収容可能な液体収容部と、
前記液体収容部に収容された前記液体を前記液体噴射部に供給するための液体供給口と、
前記液体収容部と前記液体供給口とに連通する連通流路と、
を備え、
前記連通流路は、
第１流路と第２流路とを有し、
前記第１流路は、
前記液体供給口側に設けられ、前記液体供給口に連通する第１連通口を有し、
前記第１連通口から前記液体収容部の内部に向かって延び、
前記液体収容部側の端部に、前記液体を吸い込み可能な第１液体吸込み部を有し、
前記第２流路は、
前記液体供給口側に設けられ、前記液体供給口に連通する第２連通口を有し、
前記第２連通口から前記液体収容部の内部に向かって延び、
前記液体収容部側の端部に、前記液体を吸い込み可能な第２液体吸込み部を有し、
前記液体供給口から前記液体噴射部に前記液体を供給する使用状態において、
前記第１液体吸込み部は、前記液体収容部における重力方向側の下端部に位置し、
前記第２液体吸込み部は、前記第１液体吸込み部よりも反重力方向側に位置する、
ことを特徴とする液体収容体。
【請求項２】
前記第２液体吸込み部は、前記使用状態において、前記液体収容部における反重力方向側の上端部に位置することを特徴とする請求項１に記載の液体収容体。
【請求項３】
前記第１流路の端部と前記第２流路の端部とを、前記液体収容部において位置決めする位置決め手段を備えることを特徴とする請求項１または２に記載の液体収容体。
【請求項４】
前記位置決め手段は、前記第１流路の端部と前記第２流路の端部との間に接続され、前記第１流路の端部を重力方向側に付勢し、前記第２流路の端部を反重力方向側に付勢する付勢部材であることを特徴とする請求項３に記載の液体収容体。
【請求項５】
前記位置決め手段は、前記第１流路と前記第２流路において、前記液体に対する比重が互いに異なる材料で形成されたそれぞれの流路部分であることを特徴とする請求項３に記載の液体収容体。
【請求項６】
前記位置決め手段は、前記第１流路に取付けられた錘部材と、前記第２流路に取付けられた浮き部材とであることを特徴とする請求項３に記載の液体収容体。
【請求項７】
前記液体収容部は少なくとも一部がフィルム材で構成され、
前記位置決め手段は、前記第１流路の端部と前記第２流路の端部とに取り付けられ、前記フィルム材に固定されたブロック部材を含むことを特徴とする請求項３ないし６のいずれか一項に記載の液体収容体。
【請求項８】
前記位置決め手段は、前記第１流路と前記第２流路とを前記液体収容部内に支持するフレーム部材を含むことを特徴とする請求項３ないし６のいずれか一項に記載の液体収容体。
【請求項９】
前記フレーム部材は一部が前記液体収容部を構成する部材に固定されることを特徴とする請求項８に記載の液体収容体。
【請求項１０】
前記第１流路は、前記第１連通口から前記液体収容部の内部に向かって延びる第１チューブを有し、
前記第２流路は、前記第２連通口から前記液体収容部の内部に向かって延びる第２チューブを有することを特徴とする請求項１ないし９のいずれか一項に記載の液体収容体。
【手続補正２】
【補正対象書類名】明細書
【補正対象項目名】０００９
【補正方法】変更
【補正の内容】
【０００９】
以下、上記課題を解決するための手段及びその作用効果について記載する。
上記課題を解決する液体収容体は、沈降成分を有する液体を液体噴射部に供給可能な液体収容体であって、前記液体を収容可能な液体収容部と、前記液体収容部に収容された前記液体を前記液体噴射部に供給するための液体供給口と、前記液体収容部と前記液体供給口とに連通する連通流路と、を備え、前記連通流路は、第１流路と第２流路とを有し、前記第１流路は、前記液体供給口側に設けられ、前記液体供給口に連通する第１連通口を有し、前記第１連通口から前記液体収容部の内部に向かって延び、前記液体収容部側に、前記液体を吸い込み可能な第１液体吸込み部を有し、前記第２流路は、前記液体供給口側に設けられ、前記液体供給口に連通する第２連通口を有し、前記第２連通口から前記液体収容部の内部に向かって延び、前記液体収容部側に、前記液体を吸い込み可能な第２液体吸込み部を有し、前記液体供給口から前記液体噴射部に前記液体を供給する使用状態において、前記第１液体吸込み部は、前記液体収容部における重力方向側の下端部に位置し、前記第２液体吸込み部は、前記第１液体吸込み部よりも反重力方向側に位置する。
【手続補正３】
【補正対象書類名】明細書
【補正対象項目名】００１２
【補正方法】削除
【補正の内容】
【手続補正４】
【補正対象書類名】明細書
【補正対象項目名】００１３
【補正方法】変更
【補正の内容】
【００１３】
上記液体収容体において、前記第１流路の端部と前記第２流路の端部とを、前記液体収容部において位置決めする位置決め手段を備えることが好ましい。
【手続補正５】
【補正対象書類名】明細書
【補正対象項目名】００１４
【補正方法】変更
【補正の内容】
【００１４】
この構成によれば、第１流路の端部および第２流路の端部の位置が液体収容部において位置決めされて保持されるので、液体収容部内での液体吸込み部の位置のばらつきが抑制される。
上記液体収容体において、前記位置決め手段は、前記第１流路の端部と前記第２流路の端部との間に接続され、前記第１端部を重力方向側に付勢し、前記第２端部を反重力方向側に付勢する付勢部材であることが好ましい。
【手続補正６】
【補正対象書類名】明細書
【補正対象項目名】００１５
【補正方法】変更
【補正の内容】
【００１５】
この構成によれば、簡単な構造の位置決め手段で、第１流路の端部と第２流路の端部を液体収容部において位置決めできる。
上記液体収容体において、前記位置決め手段は、前記第１流路と前記第２流路において、前記液体に対する比重が互いに異なる材料で形成されたそれぞれの流路部分であることが好ましい。
【手続補正７】
【補正対象書類名】明細書
【補正対象項目名】００１７
【補正方法】変更
【補正の内容】
【００１７】
この構成によれば、簡単な構造で、第１流路の端部と第２流路の端部を液体収容部において位置決めできる。
上記液体収容体において、前記液体収容部は少なくとも一部がフィルム材で構成され、前記位置決め手段は、前記第１流路の端部と前記第２流路の端部とに取り付けられ、前記フィルム材に固定されたブロック部材を含むことが好ましい。
【手続補正８】
【補正対象書類名】明細書
【補正対象項目名】００１８
【補正方法】変更
【補正の内容】
【００１８】
この構成によれば、簡単な構造で、第１流路の端部と第２流路の端部を液体収容部において精度よく位置決めできる。
上記液体収容体において、前記位置決め手段は、前記第１流路と前記第２流路とを前記液体収容部内に支持するフレーム部材を含むことが好ましい。
【手続補正９】
【補正対象書類名】明細書
【補正対象項目名】００１９
【補正方法】変更
【補正の内容】
【００１９】
この構成によれば、簡単な構造で、第１流路の端部と第２流路の端部を液体収容部において精度よく位置決めできる。
上記液体収容体において、前記フレーム部材は一部が前記液体収容部を構成する部材に固定されることが好ましい。
【手続補正１０】
【補正対象書類名】明細書
【補正対象項目名】００２０
【補正方法】変更
【補正の内容】
【００２０】
この構成によれば、第１流路の端部と第２流路の端部が液体収容部内において回転するのを防ぐことによって、液体収容部における第１流路の端部と第２流路の端部の位置決めが確実に行える。
【手続補正１１】
【補正対象書類名】明細書
【補正対象項目名】００４０
【補正方法】変更
【補正の内容】
【００４０】
本実施形態の液体収容体３０の作用について説明する。
液体収容部４５に収容されたインクは、図４において液体収容部４５内の一部領域に黒点で示すように、顔料が自重によって重力方向（＋Ｚ）側に沈降するため、液体収容部４５の上端側の顔料濃度が最も低く下端部側の顔料濃度が最も高い濃度分布を呈する。